(57)【要約】      （修正有）【課題】ごみ袋の装着が容易で鉄を含む塵埃を分別しながら塵埃の掃き入れを行うことができる簡便な構成の塵取りを提供する。【解決手段】塵取り１は、矩形状の底板部４と、その左右両端縁に立設された左右の側板部５とを有する塵取り本体２と、底板部４の上面に設けられ、磁石が吸着する材料で構成された第１吸着部と、第１吸着部に吸着させることにより、塵取り本体２に後方から被せられたごみ袋６の入り口部分の一部を第１吸着部との間に挟んで固定するための第１磁石１０とを備える。【選択図】図４
0003189185.tif 000002
【実用新案登録請求の範囲】
【請求項１】
掃き入れられる塵埃を収容するごみ袋を取り付けて使用される塵取りであって、
矩形状の底板部と、該底板部の左右両端縁に立設されて前後方向に延在する左右の側板部とを有し、前端側が塵埃掃き入れ方向の上流側に向けられる塵取り本体と、
前記底板部の上面に設けられ、磁石が吸着する材料で構成された第１吸着部と、
前記第１吸着部に吸着させることにより、前記塵取り本体の外側に後方から被せられた前記ごみ袋の入り口部分の一部を該第１吸着部との間に挟んで固定するための第１磁石とを備えることを特徴とする塵取り。
【請求項２】
前記ごみ袋は、その入り口に設けられた一対の持ち手部と、該一対の持ち手部の間に設けられ、結ぶことにより該入り口を閉じるための一対の凸部とを備え、
前記ごみ袋の入り口部分の一部は、前記一対の凸部のうちの一方であることを特徴とする請求項１に記載の塵取り。
【請求項３】
前記左右の側板部の内面、又は前記底板部の上面の該内面に隣接する部分に設けられ、磁石が吸着する材料で構成された左右の第２吸着部と、
各第２吸着部に１つずつ吸着させることにより、前記塵取り本体の外側に後方から被せられたごみ袋の前記一対の持ち手部をそれぞれ該第２吸着部との間に挟んで固定するための２つの第２磁石とを備えることを特徴とする請求項２に記載の塵取り。
【請求項４】
前記塵取り本体を持ち上げるための把手部と、
前記塵取り本体に被せられたごみ袋の入り口部分の前記一部と反対側の部分を挟むクリップ部と、
該クリップ部と前記把手部とを接続し、前記反対側の部分を挟んだ該クリップ部を前記塵取り本体の上方に位置させる伸縮自在な弾性部材とを備えることを特徴とする請求項１〜３のいずれか１項に記載の塵取り。
【請求項５】
前記第１吸着部は、前記ごみ袋の入り口部分の一部を挟んで該第１吸着部に吸着した前記第１磁石又は該一部が、前記塵取り本体に対して前方に移動するのを阻止する段差部を有することを特徴とする請求項１〜４のいずれか１項に記載の塵取り。
【考案の詳細な説明】
【技術分野】
【０００１】
本考案は、掃き入れられる塵埃を収容するためのごみ袋が着脱自在に取り付けられる塵取りに関する。
【背景技術】
【０００２】
このようにごみ袋を取り付けることができる塵取りは、塵取りに掃き入れる塵埃をそのままごみ袋に送り込むことができるので便利であり、従来、種々のものが知られている。例えば、特許文献１には、ごみ袋の入り口側が後方から取り付けられる塵取りが記載されている。取り付けられるごみ袋は、その入口の両端部にそれぞれ設けられた持ち手部と、これらの持ち手部の間に設けられ、結んで入り口を閉じるための凸部とを有する。
【０００３】
ごみ袋の取付けは、ごみ袋の持ち手部を塵取り本体の側面に設けられた突起部で固定し、ごみ袋の一方の凸部を塵取り本体の上面に設けられたクリップで固定し、ごみ袋の他方の凸部を塵取り本体の下面に設けられた凹凸部で固定することにより行われる。
【０００４】
また、特許文献２には、柄の部分にコイルばねを介してクリップが設けられた塵取りが記載されている。この塵取りでは、塵取り本体に被せられたごみ袋の入り口の一部をこのクリップで挟むことにより、ごみ袋の入り口が開かれ、かつごみ袋が保持される。
【０００５】
また、特許文献３には、ごみ袋を取り付けることは想定されていないが、裏面に永久磁石が取り付けられた塵取りが記載されている。これによれば、塵取りに塵埃を掃き入れる際に、塵埃中の鉄粉や鉄粒を永久磁石で吸着しながら、掃き入れを行うことができる。永久磁石で吸着された鉄を含む塵埃は、適宜、永久磁石から引き離して回収することにより、他の塵埃から容易に分別することができる。
【０００６】
また、特許文献４〜６には、ごみ袋の入り口の縁を塵取り本体との間で挟むための回動部材や枠状部材を設け、かかる部材によってごみ袋が取り付けられる塵取りが記載されている。回動部材や枠状部材は、塵取り本体の外面に設けられる。
【先行技術文献】
【特許文献】
【０００７】
【特許文献１】特開２００４−１７４０６９号公報
【特許文献２】実用新案登録第３０４０４５３号公報
【特許文献３】実用新案登録第３１８００９３号公報
【特許文献４】特開２０１２−１３５４３６号公報
【特許文献５】特開２０１１−１４７５６８号公報
【特許文献６】特開２００３−２３７９０４号公報
【考案の概要】
【考案が解決しようとする課題】
【０００８】
しかしながら、上記特許文献１の塵取りによれば、ごみ袋の持ち手部及び凸部が、塵取り本体の突起部や、クリップ、凹凸部等によって固定されるので、構成が複雑であり、ごみ袋の取付けも煩雑である。
【０００９】
また、上記特許文献２の塵取りによれば、塵取りの後方部に被せられたごみ袋の前端側がコイルばね先端のクリップのみで固定されるので、塵取りを床に沿って移動させる際にごみ袋が外れ易い。
【００１０】
また、上記特許文献３の塵取りによれば、ごみ袋を取り付けるための構成を備えていないので、ごみ袋を取り付けることができない。このため、塵取りに掃き入れた塵埃を適宜ごみ袋に移し替える手間が生じる。
【００１１】
また、上記特許文献４〜６の塵取りによれば、ごみ袋が、塵取り本体の外面に設けられる回動部材や枠状部材によって塵取りに固定されるので、塵取り本体の外側が複雑となり、ごみ袋の取付け操作も煩雑である。
【００１２】
さらに、上記特許文献１、２、４〜６の塵取りによれば、磁石を有していないので、塵埃を塵取りに掃き入れる際に、鉄を含む塵埃を他の塵埃から分別しながら塵埃の掃き入れを行うことができない。
【００１３】
本考案の目的は、かかる従来技術の問題点に鑑み、ごみ袋の装着が容易で鉄を含む塵埃を分別しながら塵埃の掃き入れを行うことができる簡便な構成の塵取りを提供することにある。
【課題を解決するための手段】
【００１４】
本考案の塵取りは、掃き入れられる塵埃を収容するごみ袋を取り付けて使用される塵取りであって、矩形状の底板部と、該底板部の左右両端縁に立設されて前後方向に延在する左右の側板部とを有し、前端側が塵埃掃き入れ方向の上流側に向けられる塵取り本体と、前記底板部の上面に設けられ、磁石が吸着する材料で構成された第１吸着部と、前記第１吸着部に吸着させることにより、前記塵取り本体の外側に後方から被せられた前記ごみ袋の入り口部分の一部を該第１吸着部との間に挟んで固定するための第１磁石とを備えることを特徴とする。
【００１５】
本考案の構成において、ごみ袋は、その入り口側が、塵取り本体の後方からその外側を覆うようにして被せられる。そして、ごみ袋の入り口部分の一部が、塵取り本体の前端に沿って後方に折り曲げられる。これにより、ごみ袋の入り口部分の該一部が、第１磁石が取り外された状態の第１吸着部上に配置される。その後、第１磁石を第１吸着部に吸着させることにより、ごみ袋の入り口部分の該一部が、第１吸着部と第１磁石との間に挟まれて、塵取りに固定される。
【００１６】
塵埃の掃き入れに際しては、塵取り本体の前端縁が掃き入れ方向の上流側に向けられる。そして、塵埃が塵取り本体に向けて掃き入れられるとき、塵埃の中に鉄、ニッケル等を含むものがあれば、そのような塵埃は、第１磁石に吸着される。他の塵埃は、第１磁石に吸着されずに、ごみ袋の方へ掃き入れられる。これにより、鉄等を含む塵埃と、他の塵埃とが分別される。第１磁石に吸着した鉄等を含む塵埃は、適宜、第１磁石から引き離して回収することができる。
【００１７】
このように、本考案によれば、第１磁石を、ごみ袋の取付けと鉄等を含む塵埃の分別とに、支障なく共用することができる。したがって、ごみ袋の装着が容易で鉄等を含む塵埃を分別しながら塵埃の掃き入れを行うことができる簡便な構成の塵取りを提供することができる。
【００１８】
本考案において、前記ごみ袋は、その入り口に設けられた一対の持ち手部と、該一対の持ち手部の間に設けられ、結ぶことにより該入り口を閉じるための一対の凸部とを備え、前記ごみ袋の入り口部分の一部は、前記一対の凸部のうちの一方であってもよい。
【００１９】
これによれば、ごみ袋の凸部は、ごみ袋の入り口から突出しているので、一対の凸部のうちの一方を、容易に第１磁石と第１吸着部との間に挟むことができる。したがって、ごみ袋をより容易に塵取りに装着することができる。
【００２０】
本考案において、前記左右の側板部の内面、又は前記底板部の上面の該内面に隣接する部分に設けられ、磁石が吸着する材料で構成された左右の第２吸着部と、各第２吸着部に１つずつ吸着させることにより、前記塵取り本体の外側に後方から被せられたごみ袋の前記一対の持ち手部をそれぞれ該第２吸着部との間に挟んで固定するための２つの第２磁石とを備えてもよい。
【００２１】
これによれば、ごみ袋の持ち手部を第２磁石によって容易に塵取り本体に固定することができるので、ごみ袋の取付け容易性を維持しつつ、より確実にごみ袋を塵取りに固定することができる。
【００２２】
本考案において、前記塵取り本体を持ち上げるための把手部と、前記塵取り本体に被せられたごみ袋の入り口部分の前記一部と反対側の部分を挟むクリップ部と、該クリップ部と前記把手部とを接続し、前記反対側の部分を挟んだ該クリップ部を前記塵取り本体の上方に位置させる伸縮自在な弾性部材とを備えてもよい。
【００２３】
これによれば、クリップ部でごみ袋の入り口部分を挟むだけで、その部分が弾性部材により上方へ引き上げられるので、塵取りに取り付けられたごみ袋の入り口を、良好に開いた状態に維持することができる。したがって、塵取りに掃き入れられる塵埃を、ごみ袋へスムーズに導入することができる。
【００２４】
また、本考案において、前記第１吸着部は、前記ごみ袋の入り口部分の一部を挟んで該第１吸着部に吸着した前記第１磁石又は該一部が、前記塵取り本体に対して前方に移動するのを阻止する段差部を有してもよい。
【００２５】
これによれば、第１磁石と第１吸着部との間に挟まれて塵取り本体に固定されたごみ袋の入り口部分の当該一部又は第１磁石が、塵取り本体に対して前方に移動することによりごみ袋が塵取り本体から外れるのを防止することができる。
【図面の簡単な説明】
【００２６】
【図１】本考案の一実施形態に係る塵取りを示す斜視図である。
【図２】図１の塵取りに適したごみ袋の斜視図である。
【図３】図１の塵取りを把手により持ち上げたときの様子を示す正面図である。
【図４】図１の塵取りに図３のごみ袋を取り付けたときの様子を示す斜視図である。
【図５】本考案の他の実施形態に係る塵取りを示す斜視図である。
【図６】図５の塵取りに図３のごみ袋を取り付けたときの様子を示す斜視図である。
【考案を実施するための形態】
【００２７】
以下、図面を用いて本考案の実施形態を説明する。図１に示すように、実施形態の塵取り１は、塵埃が掃き入れられる塵取り本体２と、塵取り本体２を持ち上げるために把持される把手部３とを備える。塵取り本体２は、矩形状の底板部４と、底板部４の左右両端部のそれぞれに立設され、前後方向に延在する左右の側板部５とを備える。塵取り本体２の前端側が、塵埃掃き入れ方向の上流側に向けられる。
【００２８】
塵取り１は、掃き入れられる塵埃を収容するためのごみ袋を取り付けて使用される。図２に示すように、このごみ袋６は、その入り口に設けられた一対の持ち手部７と、一対の持ち手部７の間に設けられ、結ぶことにより入り口を閉じるための一対の凸部８とを備える。すなわち、ごみ袋６として、市販のごみ袋やレジ袋と同様の形態を有するものを用いることができる。
【００２９】
図１に戻り、各側板部５は、円弧とその弦により構成される形状を半分にしたような形状を有する。これにより、各側板部５は、後端部から前端部にかけて、高さが所定値からゼロに至る。底板部４上面の前端側には、磁石が吸着する材料で構成された第１吸着部９が設けられる。塵取り本体２が鉄板を成形して構成される場合には、その鉄板により、第１吸着部９を形成することができる。
【００３０】
第１吸着部９は、第１吸着部９を底板部４の他の部分から画定する環状凸部９ａを周囲に備える。第１吸着部９には、環状凸部９ａの内側に丁度収まる外径を有する第１磁石１０が吸着される。
【００３１】
すなわち、塵取り本体２の外側に後方から被せられたごみ袋６の入り口部分の一部である一方の凸部８を、第１吸着部９と、これに吸着する第１磁石１０との間に挟んで固定することができる。第１磁石１０としては、例えば、薄いリング型のフェライト磁石を用いることができる。
【００３２】
環状凸部９ａの内側は、ごみ袋６の凸部８を挟んで第１吸着部９に吸着した第１磁石１０又は凸部８が、塵取り本体２に対して前方に移動するのを阻止する段差部９ｂを構成する。なお、第１吸着部９は、環状凸部９ａで囲まれた部分として構成する代わりに、その周囲よりもやや凹んだ部分として形成してもよい。その場合、その凹みを形成する段差が、上記の第１磁石１０又は凸部８の移動を阻止する段差部として機能する。
【００３３】
各側板部５の前端側内面の底板部４に隣接する部分には、ヒンジ１１を介して回動自在に設けられた第２磁石１２が設けられる。底板部４両側の対応部分には、各第２磁石１２が吸着する第２吸着部１３が設けられる。
【００３４】
塵取り本体２の外側に後方から被せられたごみ袋６の各持ち手部７を、対応する第２磁石１２と第２吸着部１３との間に挟んで、第２磁石１２を第２吸着部１３に吸着させることにより、塵取り本体２に固定することができる。
【００３５】
塵取り本体２を持ち上げるための把手部３は、両端部が左右の側板部５の外側に回動自在に取り付けられた二股部１４と、二股部１４の中央に一端が固定されたロッド部１５と、ロッド部１５の他端に固定された把手１６とを備える。
【００３６】
塵取り本体２には、左右の側板部５の後部上端間に設けられたヒンジ軸１７を介して回動自在に取り付けられた蓋部１８が設けられる。したがって、塵取り本体２の後端部には、底板部４及び両側板部５の後端部、並びに蓋部１８後端のヒンジ軸１７により画定される矩形の開口が形成される。
【００３７】
蓋部１８は、ヒンジ軸１７、両側板部５の円弧部分、及び底板部４の前端部により囲まれた範囲を覆う寸法及び形状を有する。蓋部１８の前端部中央には、把手部３のロッド部１５が通されたロッド孔１９が設けられる。
【００３８】
したがって、把手１６を持って塵取り１を吊り下げると、把手部３が底板部４の前端側に回動するとともに、蓋部１８がロッド部１５によりロッド孔１９を介して塵取り本体２の上側を覆う方向に案内される。これにより、塵取り１は、図３のように、塵取り本体２が蓋部１８で覆われた状態となる。塵取り１は、この状態で、移動又は保管される。
【００３９】
図４は、塵取り１にごみ袋６を装着した状態を示す。図４に示すように、ごみ袋６は、塵取り本体２の外側に後方から被せられる。そして、ごみ袋６の入り口側の一部、すなわち一対の凸部８のうちの一方が、底板部４の前端縁に沿って折り返される。
【００４０】
折り返された凸部８は、第１磁石１０が取り外された状態の第１吸着部９（図１参照）上に配置される。その後、第１吸着部９に、第１磁石１０が吸着される。これにより、折り返された凸部８が、第１吸着部９と第１磁石１０との間に挟まれ、塵取り本体２に固定される。
【００４１】
さらに、ごみ袋６の各持ち手部７が、両側板部５の円弧状の端縁に沿って折り返される。各持ち手部７は、第２磁石１２が離された状態の第２吸着部１３上に配置される。この配置後、第２磁石１２が第２吸着部１３に吸着される。これにより、各持ち手部７が、対応する第２磁石１２と第２吸着部１３との間に挟まれ、塵取り本体２に固定される。
【００４２】
このようにしてごみ袋６が塵取り本体２に装着された状態で、塵取り１に対する塵埃の掃き入れが行われる。掃き入れられる塵埃は、一部がごみ袋６内に送り込まれ、残りは塵取り本体２に残留する。残留した塵埃は、把手１６を持った手でロッド部１５を介して塵取り本体２を後ろに傾けることにより、ごみ袋６内に送り込むことができる。
【００４３】
その際、塵埃中に針、ピン等の鉄を含む物が含まれている場合には、そのような物は、第１磁石１０及び第２磁石１２により吸着されるので、ごみ袋６内に掃き入れられ、又は送り込まれることはない。第１磁石１０及び第２磁石１２により吸着された物は、適宜の時点で、第１磁石１０及び第２磁石１２から引き離され、回収される。これにより、鉄を含む塵埃を、他の塵埃から容易に分別しながら、塵取り１を用いた掃き掃除が行われる。
【００４４】
この間、ごみ袋６の一方の凸部８及び各持ち手部７は、第１磁石１０及び第２磁石１２により、塵取り本体２に対して強固に固定された状態にある。また、第１磁石１０又はこれに挟まれた凸部８は、環状凸部９ａの段差部９ｂにより、塵取り本体２の前方側への移動が阻止された状態にある。したがって、ごみ袋６が、塵取り本体２の移動により床面上で引き摺られる際の摩擦力によって塵取り本体２から外れることが、極力回避される。
【００４５】
塵埃が溜まったごみ袋６は、第１磁石１０及び第２磁石１２を第１吸着部９及び第２吸着部１３から離して凸部８及び各持ち手部７の固定を解除し、ごみ袋６を後方に引くことにより、容易に塵取り１から取り外すことができる。
【００４６】
本実施形態によれば、第１磁石１０及び第２磁石１２を第１吸着部９及び第２吸着部１３に吸着させ、又はこれらから離脱させるという簡単な操作により、ごみ袋６を塵取り本体２に固定し、又は固定を解除することができる。また、第１磁石１０及び第２磁石１２により、鉄を含む塵埃を他の塵埃から分別することができる。
【００４７】
すなわち、第１磁石１０及び第２磁石１２を、ごみ袋６の着脱と鉄等を含む塵埃の分別との双方に共用することにより、該着脱機能及び分別機能を有する塵取り１を、簡便に構成することができる。
【００４８】
図５は、本考案の別の実施形態に係る塵取りを示す。この塵取り２０の場合も、上述のごみ袋６を取り付けた状態で用いられる。図５に示すように、この塵取り２０は、前端側が塵埃掃き入れ方向の上流側に向けられる塵取り本体２１と、塵取り本体２１を持ち上げるためのＵ字状の把手部２２とを備える。
【００４９】
塵取り本体２１は、矩形状の底板部２３と、底板部２３の左右両端部にそれぞれ立設され、前後方向に延在する側板部２４とで構成される。底板部２３の上面の中央部には、磁石が吸着する材料で構成された第１吸着部２５が設けられる。底板部２３及び各側板部２４は、例えば、長方形の鉄板の両端部を折り曲げることにより形成される。この場合、第１吸着部２５は、その鉄板により構成することができる。
【００５０】
第１吸着部２５は、第１吸着部２５を底板部２３の他の部分から画定する環状凸部２５ａを周囲に備える。第１吸着部２５には、環状凸部２５ａの内側に丁度収まる外径を有する薄いリング型の第１磁石２６が吸着される。第１吸着部２５及び第１磁石２６は、図１の塵取り１の第１吸着部９及び第１磁石１０と同様の機能を有する。
【００５１】
すなわち、塵取り本体２１の外側に後方から被せられたごみ袋６の入り口部分の一部である一方の凸部８を、第１吸着部２５と、これに吸着する第１磁石２６との間に挟んで固定することができる。環状凸部２５ａの内側は、ごみ袋６の凸部８を挟んで第１吸着部２５に吸着した第１磁石２６又はその凸部８が、塵取り本体２に対して前方に移動するのを阻止する段差部２５ｂを構成する。
【００５２】
Ｕ字状の把手部２２は、その各端部が各側板部２４の外側に固定される。把手部２２は、側板部２４に対し、ある程度回動し得るように取り付けられてもよい。把手部２２の上端部中央（Ｕ字形状の底部中央）には、コイルばね２７の一端が取り付けられる。コイルばね２７の他端には、クリップ２８が取り付けられる。
【００５３】
図６は、塵取り２０にごみ袋６を装着した状態を示す。図６に示すように、塵取り２０の使用に際しては、ごみ袋６の入り口側が、塵取り本体２１の外側に、後方から被せられる。そして、ごみ袋６の入り口側の一部、すなわち一対の凸部８のうちの一方が、底板部２３の前端縁に沿って折り返される。
【００５４】
折り返された凸部８は第１磁石２６が取り外された状態の第１吸着部２５上に配置される。その後、第１吸着部２５に、第１磁石２６が吸着される。これにより、図４の塵取り１の場合と同様に、折り返された凸部８が、第１吸着部２５と第１磁石２６との間に挟まれ、塵取り本体２１に固定される。
【００５５】
また、これと相前後して、ごみ袋６の他方の凸部８が、クリップ２８によって挟まれる。これにより、その凸部８は、クリップ２８とともにコイルばね２７によってある程度引き上げられ、底板部２３上方の所定位置に位置する。このため、ごみ袋６の入り口が、上下方向においても十分大きく開いた状態となる。
【００５６】
このようにして、ごみ袋６が塵取り本体２１に装着された状態で、塵取り２０が用いられ、塵取り２０に対する塵埃の掃き入れが行われる。その際、塵埃中に針、ピン等の鉄を含む物が含まれている場合には、そのような物は、第１磁石２６により吸着されるので、ごみ袋６内に掃き入れられるのが回避される。
【００５７】
第１磁石２６により吸着された物は、適宜の時点で、第１磁石２６から引き離され、回収される。これにより、鉄等を含む物を、他の塵埃から容易に分別しながら、塵取り２０を用いた掃き掃除が行われる。
【００５８】
この間、ごみ袋６の一方の凸部８が、第１磁石２６により、塵取り本体２１に対して強固に固定され、他方の凸部８が、クリップ２８及びコイルばね２７を介して把手部２２に連結している。また、第１磁石２６又はこれに挟まれた凸部８は、環状凸部２５ａの段差部２５ｂにより、塵取り本体２１の前方側への移動が阻止された状態にある。このため、ごみ袋６が、塵取り本体２１から外れることが、極力回避される。
【００５９】
塵埃が溜まったごみ袋６は、第１磁石２６を第１吸着部２５から離し、クリップ２８による凸部８の拘束を解除して、ごみ袋６を後方に引くことにより、容易に塵取り２０から取り外すことができる。
【００６０】
本実施形態によれば、第１磁石２６の第１吸着部２５への着脱操作と、クリップ２８の開閉操作のみでごみ袋６の塵取り２０への固定とその解除を行うことができる。また、第１磁石２６により、鉄を含む塵埃を他の塵埃から分別することができる。そして、かかる効果を有する塵取り２０を、ごみ袋６の着脱及び鉄を含む塵埃の分別の双方に第１磁石２６を共用することによって、簡便に構成することができる。
【００６１】
なお、本考案は、上述の実施形態に限定されない。例えば、図５の塵取り２０におけるコイルばね２７に代えて、ゴム等の伸縮自在な弾性部材を用いてもよい。また、図１の塵取り１において、第２磁石１２を底板部４の上面に設け、第２吸着部１３を側板部５に設けてもよい。
【符号の説明】
【００６２】
１、２０…塵取り、２、２１…塵取り本体、３、２２…把手部、４、２３…底板部、５、２４…側板部、６…ごみ袋、７…持ち手部、８…凸部、９、２５…第１吸着部、９ｂ、２５ｂ…段差部、１０、２６…第１磁石、１２…第２磁石、１３…第２吸着部、２７…コイルばね（弾性部材）、２８…クリップ部。
【図１】
0003189185.tif 000003
【図２】
0003189185.tif 000004
【図３】
0003189185.tif 000005
【図４】
0003189185.tif 000006
【図５】
0003189185.tif 000007
【図６】
0003189185.tif 000008